(57)【要約】【課題】耳掛け型補聴器で顔面前方からの音声を主に取り込み、各種障害音は、取り込まないようにして、鮮明な音声を聞き取れるようにする。【解決手段】補聴器本体ケースの前方側壁面上にマイクの音声取り込み口を一か所だけ設ける。この集音口に、必要な長さの、同時に、音の反射と伝導性の少ない材質で作った筒を繋ぎ、この筒先にマイクを取り付けた集音装置を設けた。これにより、前方からの音声を主に取り込み、マイクに入る空気障害音波の除去ができる。  残る問題点は、自分の声、及び、全方位からの音と反響音等が、筋肉、皮膚から補聴器ケース、マイクへと素材内伝導で伝わり、大きな障害音となっていることだ。そこで、ケース内の各種器具、器材の保持等に音の反射と伝導性の少ない材質の膜等を使い同時に、ケース内側全壁面を同材質膜でカバーする。又、マイクに繋がる電線はコイル形とするなど各種の材質内伝導による障害音の除去に努める。【選択図】図２
0003228894.tif 000002
【実用新案登録請求の範囲】
【請求項１】
顔面前方からの、空気振動音声を主に取り込むために耳掛け型補聴器の顔面前方側本体ケースの壁面に一穴だけ音声取り込み口を設ける。
その上で、音声取り込み口とマイクを、筒で連結する。この筒は、集音範囲の円錐形頂角を狭めるために必要な長さを保持させ、自分の声や反響音などの空気振動障害音の取り込みを少なくするために、音の反射と材質内伝導の少ないもので作成する。
この様な、音声取り込み口、集音筒、マイクを一セットとした、集音装置を持つ耳掛け型補聴器及び集音器。
【請求項２】
自分の声が、自分の声帯、筋肉、皮膚から補聴器本体ケース、マイクへと素材内伝導音波として伝わり、話し相手の声より大きく聞こえ、会話のじゃまとなる。
また、自分の声や全方位からの音、及びそれらの反響音の空気振動が耳近くの皮膚、筋肉、皮膚、補聴器ケースからマイクへと素材内を伝わり、話し相手の声より大きな、不明瞭な補聴器による強い障害音となっている。
これら素材内伝導音波の障害音を取り除くため、第１措置として、ケース内の各種器具、器材を音の反射、及び伝導性の少ないクッション性のある十分吟味された材質の膜等で包み保持する。また、第２措置として、ケースの振動がケース内空気に、音響振動を起こさせないように、ケース内側全壁面を同質の膜で覆う。更に、第３措置として、マイクに繋がる電線はコイル形のもので弛みを持たせて配線する等、各種各様の処置により、材質内伝導による障害音を軽減させる。
前記の第１、第２、第３の三つの措置を併用している耳掛け型補聴器及び集音器。
【考案の詳細な説明】
【技術分野】
【０００１】  本考案は、集音方向を顔面前方とし、前方向を除く全方位からの音声や反響音等の障害音を取り込まないようにした耳掛け型補聴器及び集音器に関するものである。
【背景技術】
【０００２】  従来の耳掛け型補聴器は、マイクロホンの集音口が耳掛け部本体ケースの顔面前方側や上部壁面上にある。したがって、集音口が２方向のものでは、マイクの主な集音方向は、上斜め前向きで頂角の大きな逆上向き円錐形なので、空気音波としての全方位からの音と反響音等を、聞き取りたい顔面前方音と同等、同様に取り込み、これらを拡大して聞き取っていた。このために、聞き取りたい顔面前方音声は、全方位からの各種障害音に埋もれて聞き取れない。顔面前方側一穴の補聴器も、聞き取りたい顔面前方音が全方位からの各種障害音に埋もれて聞き取れない。又、自分の声、及び、全方位からの音と反響音等が、筋肉、皮膚から補聴器ケース、マイクへと素材内伝導で伝わり、大きな障害音となっている。
更に、付言すれば、補聴器が無い時には、自分の声や各種音源からの音や反響音等が空気音波として耳に入る障害音、及び自分の声が声帯、筋肉、鼓膜へと素材内を伝わって聞こえる障害音等はほとんど感じない。しかし、補聴器を使うと、聞き取りたい顔面前方音声は、これら２種類の障害音とともに強化、拡大され、大きな障害音に埋もれて聞き取れない。同室内に３人以上いれば、人数が多いほど、及び部屋壁の音の反射率か高いほど、障害音の大きさの比率は高くなる。反響音等の各種障害音の除去が補聴器の最優先課題である。障害音の除去が不十分な場合、音の反射の位置や回数の違いによる路程差は無数であり、そのために生じる音の位相差も無数である。これにより、障害音は大きく“わんわん”と聞こえ、話し相手の声は、音は小さく聞こえるが言葉は分からない状態になる。
補聴器では、各種障害音の除去が最優先課題であると言える。耳が聞き取る音波の周波数ごとの補正等は二の次だ。
【先行技術文献】
【特許文献】
【０００３】
【特許文献１】特開２０１０−１９２９７５  特許情報プラットホーム
【非特許文献】
【考案の概要】
【考案が解決しようとする課題】
【０００４】  聞き取りたい顔面前方からの音声を取り込み、自分の声や全方位からの音と、それらの反響音等の各種障害音は、なるべく取り込まないようにし、同時に補聴器を使っての電話器使用をできやすくする。
【課題を解決するための手段】
【０００５】  空気音波に関して、聞き取りたい顔面前方からの音声を主に取り込み、補聴器を使っての電話器を使用しやすくするために次の２機種を考案した。
第１機種：補聴器本体ケースのイヤホーン側先端部を顔面前方に少し伸し、顔面前方側ケース面上にマイクの音声取り込み口を一か所だけ設ける。
第２機種：改良型として、補聴器本体ケースの耳掛け部イヤホーン側先端部ケースを長くし湾曲させ、ケースの先端部が、耳介上部前面で耳掛け部の少し下、耳の内側に来る形にし、そのケース先端前面にマイクの音声取り込み口を一か所だけ設ける。【０００６】  この２機種ともに、空気音波に関して、音声取り込み口とマイクを筒で連結した集音装置を設ける。この筒は、集音範囲の円錐形頂角を狭めるために必要な長さを保持させ、反響音などの障害音の取り込みを少なくするために、音の反射、及び、伝導性の少ない材質のもので作る。この集音装置によりマイクに入る、種々空気振動障害音波の除去ができ、前方からの音声を主に取り込み比較的鮮明に聞き取ることができる。【０００７】  残る解決すべき課題は、自分の声、及び、全方位からの音と反響音等の空気障害音波が、皮膚、筋肉、皮膚から補聴器ケース、マイクへと各種素材内を伝わって補聴器により拡大される障害音である。この障害音の取り込みを少なくするために、補聴器本体ケース内の各種器具、器材等を、音波の反射と伝導性の少ない柔軟材の膜等で包み保持する。さらにケースの振動がケース内空気に音響振動を起こさせないように、ケース内側全壁面を同質の膜で覆い、この種の障害音も軽減させる。【０００８】  マイクに繋がる電線はコイル形のもので弛みを持たせて連結し、その他の電気配線等も材質内音波伝導物として働かないように配慮する。
【考案の効果】
【０００９】  前述の集音装置により、前方からの話し相手の声等を主に取り込み全方位からの空気振動の障害音を直接マイクが拾うことは少ない。
また、補聴器本体ケース内の各種器具、器材等を、ケース内空間に音波の伝わりにくい柔軟材で包み保持したので、自分の声や反響音等が耳近くの皮膚、補聴器ケースからマイクへと各種素材内を伝っての障害音が軽減されている。さらに、ケースの振動がケース内空気に音響振動を起こさせないように、ケース内側壁全面を同材質の膜で覆い、この種の障害音も軽減させた。又、マイクに繋がる電線はコイル形のもので弛みをもたせ使用する等各種各様の材質内伝導による障害音を軽減させた。これらにより、前方音声が補聴器を使って鮮明な言葉として聞き取れるようになった。【００１０】  前記第２機種改良型補聴器では、集音装置が耳介内、耳介の前方にあるので、耳介本来の働き、今聞こえている音がどの方向からきているのかなどの感覚が戻ってくる。【００１１】  マイクの音声取り込み口は、耳の上部内側で顔面前方側のケース面上に設け、これに集音装置を繋ぐことにより、前方音を取り込みやすくし各種障害音を除去したので、補聴器を使っての電話器が使いやすい。
【図面の簡単な説明】
【００１２】
【図１】本考案の音声取り込み装置を、補聴器本体ケースの前面に前向きに設けた、基本型前方音声取り込み、障害音除去装置付き耳掛け型補聴器の実施例を示す見取り図である。
【図２】補聴器本体ケースの前部を延長湾曲させ、耳掛け部の下、耳介前面にケース先端部を作り、そのケース先端部の前面、前向きに、本考案の音声取り込み装置を設けた改良型前方音声取り込み、障害音除去装置付き耳掛け型補聴器の実施例を示す見取り図である。
【図３】図１の補聴器のみの見取り図である。
【図４】図２の補聴器のみの見取り図である。
【考案を実施するための形態】
【００１３】  本考案の補聴器を、通常型耳掛け型補聴器と同様に耳に装着すると、音声取り込み装置が、補聴器本体ケース顔面前方側の壁面上前向きになり、ケース内は、多種多様な障害音除去処理をしたので、前方の話し相手の言葉を鮮明に聞き取ることができる。また、補聴器を使っての電話が使いやすい。
なお、ハウリング防止のため装着前には、集音装置、補聴器本体ケースを上向きにし、イヤホーン装着後に補聴器本体ケースを耳にかける。
【実施例】
【００１４】  以下、添付図面に従って一実施例を説明する。１は、補聴器本体のケースの先端部の前面に設けた音声取り込み口  ２は、補聴器本体のケース  ３はイヤホーンで、図１、図２は、本案補聴器の実施状況図である。【００１５】  ４  は、音の反射、及び伝導性の少ない材質で作り、集音範囲の円錐形頂角を狭めるために必要な長さを保持している集音装置内の筒である。５  は、マイクである。
１  音声取り込み口と、４  音声取り込み用筒及び、５マイクは、１セットとして働く集音装置である。これにより、空気振動の各種障害音を直接マイクが拾うことは少なく、顔面前方の比較的狭い範囲の音を主に、鮮明に聞き取ることができる。【００１６】  ２  補聴器本体のケースである。このケース内側全面を音の反射、及び伝導性の少ない材質の膜で覆い、ケース内の各種器具、器材も同質の膜等で包み、保持する。これにより、自分の声、及び、全方位からの音と反響音等が、筋肉、皮膚、から補聴器ケース、マイクへと各種素材を伝わっての障害音の取り込みは少ない。また、電気配線等も材質内音波伝導物として働かないように、その他各種各様の素材を伝っての障害音の取り込みがないように処置している。【００１７】  前項００１０，と００１１項とで、従来型補聴器では、聞き取りたい話し相手の声は、各種障害音に妨げられて聞き取れなかったが、本考案の補聴器は、各種障害音が少なく、顔面前方の比較的狭い範囲の音声を主に、鮮明に聞き取ることができる。
【符号の説明】
【００１８】  １  音声取り込み口
２  補聴器本体のケース
３  イヤホーン
４  集音装置内の音の反射、及び伝導性の少ない材質で作った筒
５  補聴器のマイクロホン
６  イヤホーン用電線
【図１】
0003228894.tif 000003
【図２】
0003228894.tif 000004
【図３】
0003228894.tif 000005
【図４】
0003228894.tif 000006
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
耳掛け型補聴器の本体ケースの顔面前方側壁面の一か所だけに音声取り込み口を設け、この音声取り込み口とマイクロホンを、音の反射と材質内伝導の少ない材質の、適切な長さの筒で連結した集音装置を持つ耳掛け型補聴器、及び、集音器。
【請求項２】
補聴器本体ケース内のマイクロホンを、その周辺に設置されたイヤホーン用導線や、補聴器本体ケースに接触しないように、音の反射と材質内伝導が少なく、適度な柔軟性のある材質のもので包みケース内に保持し、同時に、マイクロホンと関連器付き増幅器、及び、ケースの間の各内・外壁面を前記材質と同じ材質のものでカバーし、それらの中間内部に空間を作り、その空間内で、マイクロホンと関連器付き増幅器間の導線を、ゆとりを持たせて連結した補聴器、及び、集音器。
【手続補正２】
【補正対象書類名】明細書
【補正対象項目名】全文
【補正方法】変更
【補正の内容】
【考案の詳細な説明】
【技術分野】
【０００１】  本考案は、顔面前方を主な集音方向とし、空気振動と材質内伝導による障害音除去装置を設けた耳掛け型補聴器、及び、集音器に関するものである。
【背景技術】
【０００２】  従来の耳掛け型補聴器は、マイクロホンの主な集音方向が上方斜め後ろ向きなので、顔面前方の話し相手の声は、大きく回折してマイクロホンに入り音量は小さく、周囲の壁等の反射物からの反射・反響音は、その反射率が大きければ大きいほど、大きな障害音として聞き取っていた。  畳敷きの和室で、一人でテレビの音声が補聴器を使って丁度良い音量で、よく聞き取れていたとき、食事のために、板張りガラス障子の部屋に三人が同室した。このとき、一人の声が、同じ補聴器でガンガンと聞こえ、音量は大きいが、言葉は分からない状態になった。
【先行技術文献】
【特許文献】
【０００３】
【特許文献１】特開  ２０１０−１９２９７５  特許情報プラットホーム
【特許文献２】特開平０３−２４５６９９  特許情報プラットホーム
【非特許文献】
【考案の概要】
【考案が解決しようとする課題】
【０００４】  聞き取りたい顔面前方からの音声を主に取り込み、自分の声や全方位からの音と、それらの反響音などの障害音は、なるべく取り込まないようにする必要がある。  更に、付言すれば、補聴器が無い時には、自分の声や各種音源からの音や反響音等の空気振動障害音、及び自分の声が声帯、筋肉、鼓膜へと素材内を伝わって聞こえる材質内伝導障害音はほとんど感じない。しかし、補聴器を使うと、聞き取りたい顔面前方音声は、これら２種類の障害音とともに増強拡大され、大きな障害音に埋もれて聞き取れない。同室内に３人以上いれば、人数が多いほど、及び部屋壁の音の反射率か高いほど、障害音の大きさの比率は高くなる。また、音の反射の位置や回数の違いによる路程差は無数であり、そのために生じる音の位相差も無数である。これにより、障害音は大きく“わんわん”と聞こえ、話し相手の声は、音は聞こえるが言葉は分からない状態になる。  補聴器では、各種障害音の除去が最優先課題であると言える。また、同時に補聴器を使っての電話器使用をできやすくする。
【課題を解決するための手段】
【０００５】  空気音波に関して、顔面前方からの音声を主に取り込むために、補聴器の本体ケースの顔面前方側壁面の一か所だけに音声取り込み口を設ける。【０００６】  この音声取り込み口とマイクロホンを筒で連結した集音装置を設ける。この筒は、音の反射と材質内伝導の少ないもので作り、適切な長さを保持させる。適切な長さについては、次の▲１▼、▲２▼を折衷して決める。▲１▼  空気振動障害音の除去は、長いほど良い。▲２▼  上下、左右・後方からの音声取り込みは、短いほど良い。【０００７】  補聴器本体ケース内のマイクロホンと関連器付き増幅器を、それぞれ補聴器本体ケースやその他の器材に接触しないように、音の反射、及び材質内伝導の少ない適度な柔軟性のある材質のもので包みケース内に保持する。  また、マイクロホンと関連器付き増幅器及びケースの間の各壁面を音の反射、及び、材質内伝導の少ない適度な柔軟性のある材質のものでカバーし、それらの中間内部に空間を作り，その空間内にマイクロホンと関連器付き増幅器の間の導線を、ゆとりを持たせて連結する。
【考案の効果】
【０００８】  補聴器の本体ケースの顔面前方側壁面の一か所だけに音声取り込み口を設け、そこに集音装置を接続したので、顔面前方からの音声を主に取り込むことができ、また、補聴器を使っての電話器が使いやすい。【０００９】  集音装置の筒部分で、空気振動障害音の取り込みを大きく制限している。また、顔面前方以外の方向からの音の聞き取りについて、頭の上下、左右・後方からの音声を、その位置の前後の順にそれぞれ順次に低減された音量の音声として感知することができ、同時に、それぞれ、その位置の違いによる反響音の違いがある。これらを総合して、どの方向からの音かを感知できるようになる。両耳揃って感知すれば、その精度はより高まる。【００１０】  自分の声が、声帯から筋肉，耳掛け部の皮膚へと材質内伝導で伝わった皮膚の振動と、自分の声を含む周囲の音源からの空気振動音、及び、それらの反響空気振動音がもとで生じた耳掛け部の皮膚の振動が、補聴器本体ケースからケース内器具、器材からマイクロホンへと材質内伝導音として伝わり、補聴器で音声拡大倍率を上げたとき、話し相手の声より大きくて不鮮明な材質内伝導障害音になっている。  そこで、補聴器本体ケース内のマイクロホンと関連器付き増幅器を、ケース内空間に音の反射と材質内伝導の少ない、適度な柔軟性のあるもので包み保持し、また、マイクロホンと増幅器・関連器、及び、ケースの間の各壁面を同材質のものでカバーし、それらの中間内部に空間を作り，その空間内にマイクロホンと関連器付き増幅器の間の導線を、ゆとりを持たせて連結し、補聴器内の各種材質内伝導障害音を軽減させる。【００１１】  これらにより、自分の耳の聞き取り音の周波数特性の補正を除き、補聴器なしの健全な耳が聞き取るのと同等な聞き取りを、補聴器を使ってできるようになる。
【図面の簡単な説明】
【００１２】
【図１】前方音声取り込み、障害音除去装置付き耳掛け型補聴器の電池端末部を除いた横側面・垂直断面図である。
【考案を実施するための形態】
【００１３】  本考案の補聴器を、通常型耳掛け型補聴器と同様に耳に装着すると、集音装置が前向きで水平になり、同時に、頭を上下、左右に動かしても補聴器が耳介から外れないように、また、補聴器本体ケース底面が耳介上・後部にうまく接するように、ケース底面とその頭部に繋がるイヤホーン導線カバーの湾曲線を作る。
【実施例】
【００１４】  以下、添付図面に従って一実施例を説明する。１は、補聴器本体のケース  ２は、補聴器本体のケース１の先端部の前面に設けた音声取り込み口  ３はマイクロホン  ４は、音の反射と材質内伝導の少ない材質のもので作られた、適切な長さの筒である。この音声取り込み口２、マイクロホン３、筒４は、これらを一セットとした集音装置である。【００１５】  ５は、補聴器本体ケース１内のマイクロホン３と関連器付き増幅器６を、その周辺に設置されたイヤホーン用導線９に接触しないように、また、補聴器本体ケース１に接触しないようにケース１内に保持した音の反射及び伝導性の少ない適切な柔軟性のある材質のものである。【００１６】  適切な柔軟性のある材質のもの５で、マイクロホン３と関連器付き増幅器６及びケース１の間の、並びに、関連器付き増幅器６と電池８及びケース１の間の各壁面をカバーし、その内部に空間７を作る。その空間７内にマイクロホン３と関連器付き増幅器６の間の、及び、増幅器・関連器６と電池８の間の導線を、ゆとりを持たせて連結している。なお、補聴器本体ケース１に取り付けたスイッチ等と関連器具間の導線も、さきの空間７内にゆとりを持たせて連結する。これらは、材質内伝導障害音防止のためである。
【符号の説明】
【００１６】  １  補聴器本体ケース  ２  音声取り込み口  ３  補聴器のマイクロホン  ４  音の反射と材質内伝導の少ない物で作った適切な長さの筒  ５  音の反射、及び材質内伝導の少ない適切な柔軟性のある材質のもの  ６  関連器付き増幅器  ７  空間  ８  電池  ９  イヤホーン用電線１０  イヤホーン
【手続補正３】
【補正対象書類名】図面
【補正対象項目名】全図
【補正方法】変更
【補正の内容】
【図１】
0003228894.tif 000007